(57)【要約】【課題】一枚のカーテンをフラットカーテンと、ヒダつきのカーテンのいずれとしても使用できるカーテン吊り装置と、吊り具を提供する。【解決手段】 カーテン吊り装置１は、カーテン２１の上縁部に縫い付けられる長尺のテープ２と、これに取付けられる弾性合成樹脂製の複数の吊り具３とを有する。テープ２は、テープ基体２ａと重合片２ｂとを有する。吊り具３の本体４は、主杆４ａ、下部挿入杆４ｂ、上部挿入杆４ｃを有する。挿入杆４ｂ，４ｃは、それぞれ左右に所定の相互間隔を置いて一対設ける。下部挿入杆４ｂと上部挿入杆４ｃをそれぞれテープ２の任意の重合片２ｂとテープ基体２ａとの間へ挿入することにより、左右の挿入杆４ｂ，４ｃの間にカーテン２１を折り曲げてヒダ２１ａを形成できる。【選択図】図１
2008125824.tif 000002
【特許請求の範囲】
【請求項１】
カーテンの上縁部に沿って横方向に縫い付けられる長尺のテープと、このテープに横方向に相互間隔をおいて取付けられる弾性合成樹脂製の複数の吊り具とを具備し、
前記テープは、前記カーテンに密着する第１の面と、その反対側の第２の面とを有するテープ基体と、このテープ基体の第２の面上に長手方向に相互間隔をおいて複数設けられる重合片とを具備し、
前記吊り具は、本体と、この本体に結合され、ランナの吊り環へ掛け止め可能なフック体とから成り、
前記吊り具の本体は、縦方向に伸びる主杆と、前記テープの重合片の下縁からテープ基体との間へ挿入するために、主杆の下部から主杆の背部に沿って上方へ伸びる下部挿入杆と、重合片の上縁からテープ基体との間へ挿入するために、主杆の上部から主杆の背部に沿って下方へ伸びる上部挿入杆とを具備し、
前記下部挿入杆と上部挿入杆は、それぞれ左右に所定の相互間隔を置いて一対設けられ、
前記下部挿入杆と上部挿入杆をそれぞれ任意の重合片とテープ基体との間へ挿入することにより、左右挿入杆の間にカーテンを折り曲げてヒダを形成するようにしたことを特徴とするカーテン吊り装置。
【請求項２】
カーテンの上縁部に沿って横方向に縫い付けられる長尺のテープと、このテープに横方向に相互間隔をおいて取付けられる弾性合成樹脂製の複数の吊り具とを具備し、
前記テープは、前記カーテンに密着する第１の面と、その反対側の第２の面とを有するテープ基体と、このテープ基体の第２の面上に長手方向に相互間隔をおいて複数設けられた重合片とを具備し、
前記吊り具は、本体と、この本体に結合され、ランナの吊り環へ掛け止め可能なフック体とから成り、
前記吊り具の本体は、縦方向に伸びる主杆と、前記テープの重合片の下縁からテープ基体との間へ挿入するために、主杆の下部から主杆の背部に沿って上方へ伸びる下部挿入杆と、重合片の上縁からテープ基体との間へ挿入するために、主杆の上部から主杆の背部に沿って下方へ伸びる上部挿入杆とを具備し、
前記下部挿入杆と上部挿入杆は、それぞれ左右に前記重合片のテープ長手方向間隔と同等の相互間隔を置いて一対設けられ、
前記下部挿入杆と上部挿入杆をそれぞれ前記テープの隣接重合片とテープ基体との間へ挿入することにより、フラットにカーテンを吊り、また他の任意の重合片とテープ基体との間へ挿入することにより、左右挿入杆の間にカーテンを折り曲げてヒダを形成するようにしたことを特徴とするカーテン吊り装置。
【請求項３】
縦方向に伸びる主杆と、主杆の下部から主杆の背部に沿って上方へ伸びる下部挿入杆と、主杆の上部から主杆の背部に沿って下方へ伸びる上部挿入杆とを具備する弾性合成樹脂製のカーテン吊り具において、
前記上部挿入杆及び下部挿入杆は、それぞれ左右に所定の相互間隔を置いて一対設けられることを特徴とするカーテン吊り具。
【発明の詳細な説明】
【技術分野】
【０００１】
本発明は、カーテンの上縁部に沿って横方向に長尺のテープを縫い付け、このテープに横方向に相互間隔をおいて複数の吊り具を取付けることにより、カーテンを簡易に吊り止めることができるカーテン吊り装置と、これに用いられるカーテン吊り具に関する。
【背景技術】
【０００２】
従来、カーテンの上縁部に沿って横方向に長尺のテープを縫い付け、このテープに横方向に相互間隔をおいて複数の吊り具を取付けることにより、カーテンを簡易に吊り止めることができるカーテン吊り装置が知られている(例えば特許文献１)。このカーテン吊り装置においては、カーテンの上縁部に沿って横方向に長尺のテープが縫い付けられている。テープは、テープ基体と、それの長手方向に相互間隔をおいて複数設けられた重合片とを具備する。吊り具は、下から上へ伸びる下部挿入杆と、上から下へ伸びる上部挿入杆とを具備する。下部挿入杆は、テープの重合片の下縁からテープ基体との間へ挿入され、上部挿入杆は、テープの重合片の上縁からテープ基体との間へ挿入され、それによって吊り具がカーテンに取付けられる。吊り具のフックをカーテンランナの吊り環に掛けてカーテンを吊り止める。このように上縁にヒダをとらない平滑なカーテンはフラットカーテンと称される。フラットカーテンは、ヒダをとらないため、生地が少なくて済むし、縫製も手数がかからず、低コストで提供される。
【特許文献１】特開２００１−３２７３９４号公報
【発明の開示】
【発明が解決しようとする課題】
【０００３】
近年フラットカーテンが普及している理由の一つは、カーテンにヒダやウェーブがなく、外観がフラットで、デザインが簡素であるという点にある。ヒダ付きのカーテンとフラットカーテンを任意に取り替えて生活に変化を持たせることを望む場合には、２種類のカーテンを別に用意しなければならない。
したがって、この発明は、一枚のカーテンをフラットカーテンとしても、またヒダつきのカーテンとしても使うことができるカーテン吊り装置と、これに用いるカーテン吊り具を提供することを課題としている。
【課題を解決するための手段】
【０００４】
本発明においては、上記課題を解決するため、カーテン２１の上縁部に沿って横方向に縫い付けられる長尺のテープ２と、このテープ２に横方向に相互間隔をおいて取付けられる弾性合成樹脂製の複数の吊り具３とを具備させてカーテン吊り装置１を構成する。テープ２には、テープ基体２ａと重合片２ｂとを具備させる。テープ基体２ａの一方の面２ｄ上に、長手方向に相互間隔をおいて複数の重合片２ｂを上下一対ずつ設ける。吊り具３の本体４には、縦方向に伸びる主杆４ａと、それの背部に伸びる下部挿入杆４ｂ及び上部挿入杆４ｃを具備させる。下部挿入杆４ｂと上部挿入杆４ｃは、それぞれ左右に所定の相互間隔を置いて一対設ける。下部挿入杆４ｂと上部挿入杆４ｃをそれぞれテープの任意の重合片とテープ基体との間へ挿入することにより、左右の挿入杆４ｂ，４ｃの間にカーテンを折り曲げてヒダ２１ａを形成できるようにする。
【発明の効果】
【０００５】
本発明においては、吊り具３の左右の下部挿入杆４ｂと上部挿入杆４ｃをテープ２の任意の重合片２ｂとテープ基体２ａとの間へ挿入することにより、左右の挿入杆４ｂ・４ｂ，４ｃ・４ｃの間にカーテン２１を折り曲げてヒダ２１ａを形成することで、カーテン２１をヒダ付きカーテンとして吊ることができる。左右の挿入杆４ｂ・４ｂ，４ｃ・４ｃの相互間隔を重合片２ｂの横方向間隔と同等にすれば、下部挿入杆杆４ｂと上部挿入杆４ｃをそれぞれテープ２の隣接重合片２ｂとテープ基体２ａとの間へ挿入することにより、カーテン２１をフラットに吊ることができる。他方、隣接以外の他の任意の重合片２ｂとテープ基体２ａとの間へ挿入杆４ｂ，４ｃを挿入すれば、左右の挿入杆の間にカーテン２１を折り曲げたヒダ２１ａが形成されるから、当該カーテンをヒダ付きカーテンとして吊ることができる。挿入杆４ｂ・４ｂ，４ｃ・４ｃが、上下の両方向からテープ２に係止されるので、ヒダ２１ａの形状が安定する。
【発明を実施するための最良の形態】
【０００６】
図面を参照して本発明の実施の形態を説明する。図１は本発明に係るカーテン吊り装置のカーテンへの装着状態の斜視図、図２は本発明に係るカーテン吊り装置のカーテンへの装着状態の正面図、図３は図２におけるIII−III断面図、図４は本発明に係るカーテン吊り具のカーテンへの装着状態の平面図、図５はテープの横断平面図、図６はカーテン吊り具の側面図、図７はカーテン吊り具の背面図、図８は他の実施形態のカーテン吊り装置の正面図である。
【０００７】
図１乃至図３において、カーテン吊り装置１は、カーテン２１の上縁部に沿って横方向に縫い付けられる長尺のテープ２と、このテープ２に横方向に相互間隔をおいて取付けられる弾性合成樹脂製の複数の吊り具３とを具備する。
【０００８】
図１乃至図５に示すように、テープ２は、長尺帯状のテープ基体２ａと、テープ基体２ａ上に設けられる重合片２ｂとを具備する。テープ基体２ａは、カーテン２１に密着する第１の面２ｃと、その反対側の第２の面２ｄとを有する。テープ基体の面２ｄ上に、長手方向に相互間隔をおいて複数の重合片２ｂが設けられる。重合片２ｂは、テープ２の長手方向の両側辺においてテープ基体２ａに融合し、上下の辺はテープ基体２ａとの間が開放している。図示の実施形態において、テープ２は、テープ基体２ａと重合片２ｂとを一体に織成又は編成したものである。
【０００９】
図６，７に示すように、吊り具３は、本体４と、この本体４にラチェット式に移動自在に結合されるフック体５とから成る。フック体５は、ランナの吊り環へ掛け止め可能である。本体４は、縦方向に伸びる主杆４ａと、テープ２の重合片２ｂの下縁からテープ基体２ａとの間へ挿入するための下部挿入杆４ｂと、重合片２ｂの上縁からテープ基体２ａとの間へ挿入するための上部挿入杆４ｃとを具備する。下部挿入杆４ｂと上部挿入杆４ｃは、それぞれ左右に相互間隔を置いて一対設けられる（図７）。下部挿入杆４ｂは、薄板状で、主杆４ａの下部からそれ背部に沿って上方へ伸び、主杆４ａの１／２の高さ付近で終結する。上部挿入杆４ｃは、同じく薄板状で、主杆４ａの上部からそれの背部に沿って下方へ伸び、主杆４ａの１／２の高さに到らずに終結する。
【００１０】
吊り具３は、テープ２への装着状態において、主杆４ａと挿入杆４ｂ、４ｃとの間で重合片２ｂを挟持する。図１、図２に示すようにテープ２上の隣接する重合片の相互間隔が、吊り具における左右の挿入杆４ｂ・４ｂ、４ｃ・４ｃの相互間隔より広く設定されている場合、左右の挿入杆４ｂ・４ｂ、４ｃ・４ｃをそれぞれ左右に隣接する重合片２ｂ・２ｂへ挿入するために、カーテン２１の上縁部を隣接重合片２ｂ・２ｂ間において折り曲げて、隣接重合片２ｂ・２ｂを接近させる。したがって、カーテン２１へ吊り具３を装着することにより、自動的にヒダ２１ａが形成される。挿入杆４ｂ・４ｂ，４ｃ・４ｃが、上下の両方向からテープ２に係止されるので、ヒダ２１ａの形状が安定する。カーテン２１をフラットに吊る場合は、挿入杆が左右にない別の吊り具を用いる。
【００１１】
図８に示すように、テープ２上の隣接する重合片の相互間隔が、吊り具における左右の挿入杆４ｂ・４ｂ、４ｃ・４ｃの相互間隔と同等に設定されている場合、左右の挿入杆４ｂ・４ｂ、４ｃ・４ｃをそれぞれ左右に隣接する重合片２ｂ・２ｂへ挿入すると、カーテン２１をフラットに吊ることができる。左又は右に一つ以上置いた重合片２ｂ・２ｂに左右の挿入杆４ｂ・４ｂ、４ｃ・４ｃをそれぞれ挿入する場合には、自動的にヒダが形成される。
【図面の簡単な説明】
【００１２】
【図１】本発明に係るカーテン吊り装置のカーテンへの装着状態の斜視図である。
【図２】本発明に係るカーテン吊り装置のカーテンへの装着状態の正面図である。
【図３】図２におけるIII−III断面図である。
【図４】本発明に係るカーテン吊り具のカーテンへの装着状態の平面図である。
【図５】テープの横断平面図である。
【図６】カーテン吊り具の側面図である。
【図７】カーテン吊り具の背面図である。
【図８】他の実施形態のカーテン吊り装置の正面図である。
【符号の説明】
【００１３】
１ カーテン吊り装置
２ テープ
２ａ テープ基体
２ｂ 重合片
２ｃ 第１の面
２ｄ 第２の面
３ カーテン吊り具
４ 本体
４ａ 主杆
４ｂ 下部挿入杆
４ｃ 上部挿入杆
５ フック体
２１ カーテン
２１ａ  ヒダ
【図１】
2008125824.tif 000003
【図２】
2008125824.tif 000004
【図３】
2008125824.tif 000005
【図４】
2008125824.tif 000006
【図５】
2008125824.tif 000007
【図６】
2008125824.tif 000008
【図７】
2008125824.tif 000009
【図８】
2008125824.tif 000010